(57)【要約】【課題】ベーンポンプ装置を用いてクランク軸へ潤滑油を圧送する構造を持った横置き型のロータリ圧縮機において、クランク軸だけでなく、ベーンへの給油通路を構成する。【解決手段】圧縮機部３における各摺動部に潤滑油を送るベーンポンプ装置において、ベーン室１４とクランク軸６の軸端を結ぶための給油通路１６を副軸受と一体となった形で形成し、給油通路１６からベーンへ潤滑油を供給するためのオイル通路穴１７を分岐して設けるようにしたものである。本構成によって、ベーンの耐久性がよくなり、入力低減することができる密閉型圧縮機を提供できるものである。【選択図】図２
2009103067.tif 000002
【特許請求の範囲】
【請求項１】
底部に潤滑油を収納した密閉容器と、この密閉容器内に略水平に設けられたクランク軸と、このクランク軸が貫通するとともに、下方にベーン溝部を有するシリンダと、このシリンダのベーン溝部内に収納され前記クランク軸の回転に伴って往復運動するベーンと、前記クランク軸を支持する軸受を備え、前記シリンダのベーン溝部と前記ベーンは、前記ベーンの往復運動により前記密閉ケース内の潤滑油を、給油通路を経てクランク軸側へ圧送するベーンポンプ装置を構成する上で、この給油通路と副軸受が一体となった構造であり、この給油通路から前記ベーンの潤滑をよくするための潤滑油通路穴を分岐して設けていることを特徴とする密閉型圧縮機。
【請求項２】
副軸受に給油通路とは別にベーンへの潤滑油供給溝を取り付けたことを特徴とする請求項１に記載の密閉型圧縮機。
【請求項３】
副軸受とシリンダを介して反対側のクランク軸を支える主軸受けに、ベーンへの潤滑油供給溝を設けたことを特徴とする請求項１または２に記載の密閉型圧縮機。
【請求項４】
圧縮されるガスが、塩素を含まない代替冷媒である請求項１〜３のいずれか１項に記載の密閉型圧縮機。
【請求項５】
圧縮されるガスが、二酸化炭素などの自然冷媒である請求項１〜３のいずれか１項に記載の密閉型圧縮機。
【発明の詳細な説明】
【技術分野】
【０００１】
本発明は、密閉ケース内の潤滑油をクランク軸側へ圧送するための給油装置を備えた密閉型圧縮機に係り、とりわけ給油通路と軸受とが一体となることにより部品点数の削減および高さを低く構成することを可能とした横置き型のロータリ圧縮機の性能、耐久性向上に関するものである。
【背景技術】
【０００２】
従来の密閉型圧縮機では、ベーンがその本来の機能の他に、給油ポンプとしての機能を兼ね備えた形式のものがある。図４は、この種従来の密閉型圧縮機を示した断面図である。
【０００３】
密閉容器１の内部には、電動機部２と圧縮機部３が収容されている。電動機部２は、ステータ４とロータ５とから構成されている。ロータ５には、クランク軸６の一端が固定されるとともに、クランク軸６の他端は、圧縮機部３を構成する主軸受７、副軸受８によって回転自在に支持されている。シリンダ９は、主軸受７と副軸受８の間に挟まれるようにして設けられ、このシリンダ９の内部には、クランク軸６に設けられた偏心したクランク部１０と、これに外嵌するピストン１１と、ベーン１２が収容されており、圧縮室１３が形成されている。
【０００４】
ベーン１２は、ベーン室１４に設けられた圧縮ばね１５によってシリンダ９の半径方向中心に付勢されている。従って、クランク軸６の回転とともに、ピストン１１の外周面と、シリンダ９の内周面およびベーン１２で囲まれた圧縮室１３の体積が変化してガスが圧縮されるようになっている。また、ベーン１２に圧縮機部３における各摺動部に潤滑油を送る給油ポンプとしての機能を付加するために、給油通路１６がベーン室１４と、クランクシャフト６の軸端を、結ぶように設置されている。ベーン１２が上昇すると、密閉ケース１の底の油溜の油がベーン室１４に吸い込まれ、ベーン１２の下降とともに押し出されるようになっている。押し出された油は、副軸受に設置された給油通路１６を通って主軸受７、副軸受８、ピストン１１の潤滑が必要な所定の摺動面に補給される（例えば、特許文献１参照）。
【特許文献１】特開２００５−５４６５１号公報
【発明の開示】
【発明が解決しようとする課題】
【０００５】
しかしながら、上記従来の構成ではベーン１２が主軸受７と副軸受８とシリンダのベーン溝に密閉された状態になり、ベーンの摺動損失が大きくなり、性能低下や、耐久性の低下となる可能性があるという課題を有していた。
【０００６】
本発明の目的は、ベーンへの給油機構を設け、性能や耐久性の高い密閉型圧縮機を提供するものである。
【課題を解決するための手段】
【０００７】
前記従来の課題を解決するための本発明にかかる密閉型圧縮機の構成は、底部に潤滑油を収納した密閉容器と、この密閉容器内に略水平に設けられたクランク軸と、このクランク軸が貫通するとともに、下方に一側が開口したベーン溝部を有するシリンダと、このシリンダのベーン溝部内に収納され前記クランク軸の回転に伴って往復運動するベーンと、前記クランク軸を支持する軸受を備え、前記シリンダのベーン溝部と前記ベーンは、前記ベーンの往復運動により前記密閉容器内の潤滑油を、給油通路を経てクランク軸側へ圧送するベーンポンプ装置を構成する上で、この給油通路と一体となった副軸受に、給油通路からベーンへ潤滑油を供給する機構を設けた構造にするものである。
【０００８】
本構成によって、ベーンの摺動損失が低減でき、性能や耐久性の高い密閉型圧縮機を提供できる。
【発明の効果】
【０００９】
本発明のロ−タリ圧縮機によれば、ベーンポンプ装置を用いてクランク軸へ潤滑油を圧送し、かつ、ベーンへの積極的な給油を可能にしたので、性能や耐久性の高い密閉型圧縮機を提供することができるものである。
【発明を実施するための最良の形態】
【００１０】
第１の発明は、底部に潤滑油を収納した密閉容器と、この密閉容器内に略水平に設けられたクランク軸と、このクランク軸が貫通するとともに、下方に一側が開口したベーン溝部を有するシリンダと、このシリンダのベーン溝部内に収納され前記クランク軸の回転に伴って往復運動するベーンと、前記クランク軸を支持する軸受を備え、前記シリンダのベーン溝部と前記ベーンは、前記ベーンの往復運動により前記密閉容器内の潤滑油を、給油通路を経てクランク軸側へ圧送するベーンポンプ装置を構成する上で、この給油通路と一体となった副軸受に、給油通路からベーンへ潤滑油を供給する穴を設けた構造にするものである。
【００１１】
本構成によって、ベーンに積極的に潤滑油が供給され、ベーンの温度上昇と、摺動損失が低減できる。
【００１２】
第２の発明は、特に、第１発明の密閉型圧縮機の副軸受部にベーンへの潤滑油供給溝を設けて、密閉容器の底部に収納した潤滑油をベーンへ供給する構造にするものである。
【００１３】
本構成によって、ベーンに積極的に潤滑油が供給され、ベーンの温度上昇と、摺動損失が低減できる。
【００１４】
第３の発明は、特に、第１または第２の発明の圧縮機において、主軸受部にベーンへの潤滑油供給溝を設けて、密閉容器の底部に収納した潤滑油をベーンへ供給する構造にするものである。
【００１５】
本構成によって、ベーンに積極的に潤滑油が供給され、ベーンの温度上昇と、摺動損失が低減できる。
【００１６】
第４の発明は、特に、第１〜３のいずれか１つの発明の密閉型圧縮機において、圧縮されるガスが塩素を含まない代替冷媒（例えばＨＦＣ冷媒）の場合には、摺動部の表面に耐摩耗性の塩化鉄層を形成しないため、ベーン摺動部に潤滑油を確保しておく必要が特に高いが、本発明によりベーンへ積極的に潤滑油を供給できるので、摺動部の信頼性を確保することができる。
【００１７】
第５の発明は、特に、第１〜３のいずれか１つの発明の密閉型圧縮機において、圧縮されるガスが二酸化炭素のような自然冷媒の場合、圧縮機から吐出されるガスは高圧にする必要があり、ベーン摺動部の負荷耐力も大きなものとなるが、本発明によりベーンへ積極的に潤滑油を供給できるので、摺動部の信頼性を確保することができる。
【００１８】
以下本発明の実施の形態について図面を参照しながら説明する。なお、この実施の形態によって本発明が限定されるものではない。また、各図において、それぞれ同じ構成要素については同じ符号を用い説明を省略する。
【００１９】
（実施の形態１）
図１は、本発明の実施の形態１における密閉型圧縮機の断面図である。図１において、底部に潤滑油を収納した密閉容器１と、この密閉容器内に略水平に設けられたクランク軸６と、このクランク軸６が貫通するとともに、下方に一側が開口したベーン溝部を有するシリンダ９と、このシリンダ９のベーン溝部内に収納され前記クランク軸６の回転に伴って往復運動するベーン１２と、クランク軸６を支持する主軸受７と副軸受８を備え、シリンダ９のベーン溝部とベーン１２は、ベーン１２の往復運動により密閉容器１内の潤滑油を、給油通路１６を経てクランク軸側へ圧送するベーンポンプ装置を構成する上で、給油通路１６と一体となった副軸受８に、給油通路１６からベーンへ潤滑油を供給するオイル通路穴１７を設けた密閉型圧縮機である。
【００２０】
本構成によって、ベーン１２に積極的に潤滑油が供給され、ベーン１２の温度上昇と、摺動損失が低減できるのである。
【００２１】
（実施の形態２）
図２は本発明の実施の形態２における密閉型圧縮機の断面図である。図２において、副軸受８にベーン１２への潤滑油供給溝８ａを設けて、密閉容器の底部に収納した潤滑油をベーン１２へ供給する構造にしたことを特徴とする密閉型圧縮機である。
【００２２】
本構成によって、ベーン１２に積極的に潤滑油が供給され、ベーン１２の温度上昇と、摺動損失が低減できる。
（実施の形態３）
図３は本発明の実施の形態３における密閉型圧縮機の断面図である。図３において、主軸受７にベーン１２への潤滑油供給溝７ａを設けて、密閉容器の底部に収納した潤滑油をベーン１２へ供給する構造にすることを特徴とする密閉型圧縮機である。
【００２３】
本構成によって、ベーン１２に積極的に潤滑油が供給され、ベーン１２の温度上昇と、摺動損失が低減できる。
【産業上の利用可能性】
【００２４】
以上のように、本発明にかかる密閉型圧縮機は、簡素な構造で、安価でかつ確実に、性能、耐久性を向上することが可能となるので、空気調和装置や冷蔵庫等の冷凍機器の用途に適用できる。  
【図面の簡単な説明】
【００２５】
【図１】本発明の実施の形態１における密閉型圧縮機の断面図
【図２】本発明の実施の形態２における密閉型圧縮機の断面図
【図３】本発明の実施の形態３における密閉型圧縮機の断面図
【図４】従来の密閉型圧縮機の断面図
【符号の説明】
【００２６】
１    密閉容器
２    電動機部
３    圧縮機構部
４    ステータ
５    ロータ
６    クランク軸
７    主軸受
７ａ  ベーンへの潤滑油供給溝
８    副軸受
８ａ  ベーンへの潤滑油供給溝
９    シリンダ
１０  偏芯クランク部
１１  ピストン
１２  ベーン
１３  圧縮室
１４  ベーン室
１５  圧縮バネ
１６  給油通路
１７  オイル通路穴
【図１】
2009103067.tif 000003
【図２】
2009103067.tif 000004
【図３】
2009103067.tif 000005
【図４】
2009103067.tif 000006